(57)【要約】【課題】連続番組の繰り返し予約録画を行う際に、ユーザーの意図に反した録画データの消去を防ぐ。【解決手段】取得した電子番組情報に含まれる番組タイトルと予約録画情報に含まれる番組タイトルとが一致するかどうかの番組情報比較手段６での比較結果を記録制御手段７で判定し、両者が不一致の場合は、記録媒体１４に空き領域があれば予約録画するが、消去は行わない。両者が一致していた場合には、記録媒体１４に空き領域があれば、予約録画を行い、その予約録画実行中は、録画が中断されたかどうかを監視し、録画が中断された場合には、予約録画処理を中止する。録画が中断されることなく、予約録画が記録媒体１４に対して正常に実行された場合には、過去の録画データを記録媒体１４から消去する。【選択図】図１
2008245239.tif 000002
【特許請求の範囲】
【請求項１】
定期的に複数回にわたって放送される連続番組の録画予約の設定を一度行うだけで、前記連続番組を記録実行手段により記録媒体に定期的に予約録画する番組録画装置において、
放送信号から電子番組表を取得する番組情報取得手段と、
前記電子番組表に基づき、任意の予約番組の放送チャンネル、放送日時、番組タイトル、繰り返し録画の有無などの予約録画情報を設定する録画予約を行う予約録画設定手段と、
前記予約録画情報を保存して管理する予約録画情報管理手段と、
前記記録媒体に録画されている番組情報である録画済み番組データを管理する録画済み番組管理手段と、
前記記録媒体の記録可能な空き領域を管理する空き領域管理手段と、
前記予約録画情報管理手段により管理されている前記予約録画情報に含まれる第１の番組タイトルと、予約録画開始前に前記番組情報取得手段で取得された前記電子番組表に含まれる第２の番組タイトルとを比較する比較手段と、
前記比較手段により前記第１の番組タイトルと前記第２の番組タイトルとが一致するとの比較結果が得られ、かつ、前記空き領域管理手段により前記第２の番組タイトルの新たな番組データを記録する空き領域が前記記録媒体に存在することが確認されたときに、前記記録媒体に前記第２の番組タイトルの新たな番組データを予約録画するよう前記記録実行手段を制御し、前記記録媒体への前記新たな番組データの予約録画が中断されることなく録画終了したときは、前記録画済み番組管理手段により管理されている前記第１の番組タイトルの録画済み番組を前記記録媒体から消去し、前記記録媒体への前記新たな番組データの予約録画が中断したときは、前記録画済み番組データを前記記録媒体から消去することなく前記新たな番組データの予約録画を中止するよう前記記録実行手段を制御する記録制御手段と
を有することを特徴とする番組録画装置。
【請求項２】
前記記録制御手段は、さらに、
前記比較手段により前記第１の番組タイトルと前記第２の番組タイトルとが一致するとの比較結果が得られ、かつ、前記空き領域管理手段により前記第２の番組タイトルの新たな番組データを記録する空き領域が前記記録媒体に存在しないことが確認された場合、前記録画済み番組管理手段により管理されている前記録画済み番組データを前記記録媒体から消去してから、前記記録媒体に前記第２の番組タイトルの新たな番組データを予約録画するよう前記記録実行手段を制御することを特徴とする請求項１記載の番組録画装置。
【請求項３】
前記記録制御手段は、さらに、
前記比較手段により前記第１の番組タイトルと前記第２の番組タイトルとが一致しないとの比較結果が得られ、かつ、前記空き領域管理手段により前記第２の番組タイトルの新たな番組データを記録する空き領域が前記記録媒体に存在することが確認された場合、前記記録媒体に前記第２の番組タイトルの新たな番組データを予約録画するよう前記記録実行手段を制御し、かつ、前記記録媒体への前記新たな番組データの予約録画が中断することなく終了するか否かに関係なく、前記第１の番組タイトルの録画済み番組データを前記記録媒体から消去しないよう前記記録実行手段を制御することを特徴とする請求項１又は２記載の番組録画装置。
【請求項４】
前記記録制御手段は、
前記比較手段により前記第１の番組タイトルと前記第２の番組タイトルとが一致しないとの比較結果が得られ、かつ、前記空き領域管理手段により前記第２の番組タイトルの新たな番組データを記録する空き領域が前記記録媒体に存在することが確認され、さらに、前記記録媒体への前記新たな番組データの予約録画が中断することなく録画終了した場合、前記録画済み番組管理手段により管理されている前記第２の番組タイトルの録画済み番組データを前記記録媒体から消去し、前記予約録画が中断したときは、前記第２の番組タイトルの録画済み番組データを前記記録媒体から消去しないよう前記記録実行手段を制御することを特徴とする請求項３記載の番組録画装置。
【請求項５】
前記記録制御手段は、さらに、
前記比較手段により前記第１の番組タイトルと前記第２の番組タイトルとが一致しないとの比較結果が得られ、かつ、前記空き領域管理手段により前記第２の番組タイトルの新たな番組データを記録する空き領域が前記記録媒体に存在しないことが確認された場合、前記記録媒体への前記第２の番組タイトルの新たな番組データの予約録画を中止するよう前記記録実行手段を制御することを特徴とする請求項３又は４記載の番組録画装置。
【請求項６】
前記記録制御手段は、さらに、
前記比較手段により前記第１の番組タイトルと前記第２の番組タイトルとが一致しないとの比較結果が得られ、かつ、前記空き領域管理手段により前記第２の番組タイトルの新たな番組データを記録する空き領域が前記記録媒体に存在しないことが確認された場合、前記録画済み番組管理手段により管理されている前記第２の番組タイトルの録画済み番組データを前記記録媒体から消去してから、前記記録媒体に前記第２の番組タイトルの新たな番組データを予約録画するよう前記記録実行手段を制御することを特徴とする請求項３又は４記載の番組録画装置。
【発明の詳細な説明】
【技術分野】
【０００１】
本発明は番組録画装置に係り、特に定期的に複数回にわたって放送される連続番組の繰り返し予約録画機能を有する番組録画装置に関する。
【背景技術】
【０００２】
従来、ＤＶＤ（Digital Versatile Disc）やＨＤＤ（Hard Disc Drive）などのディスク状記録媒体を用いた番組録画装置には、定期的に複数回にわたって放送される連続番組の繰り返し予約録画機能が備わっている。この繰り返し予約録画機能は録画予約を一度だけで、連続番組を毎日もしくは毎週、繰り返して予約録画を行うというものである。
【０００３】
しかしながら、従来の番組録画装置では、当該番組の録画を繰り返し行う毎に新しい記録領域を使用していくため、記録可能な空き領域が直ぐに少なくなるという問題や、既に視聴が終わった放送回の録画データなどをユーザーがその都度手動で消去しなければならないため、ユーザーにかかる負担が大きいという問題が生じていた。
【０００４】
そこで、連続番組の繰り返し予約録画を行う際に、番組の録画に先立って、当該番組の過去の放送回の録画データを消去することで、空き領域の不足を防ぐと共に、消去操作にかかるユーザーの負担を軽減しようとする番組録画装置が従来開示されている（例えば、特許文献１参照）。
【０００５】
【特許文献１】特開２００２−３３９８６号公報
【発明の開示】
【発明が解決しようとする課題】
【０００６】
しかしながら、上記特許文献１記載の番組録画装置による連続番組の繰り返し予約録画では、例えば放送局の都合等によりユーザーが録画したい連続番組に替えて異なる番組が放送されている場合でも、連続番組の過去の録画データを消去してから異なる放送番組の録画を実行するため、ユーザーが希望する連続番組が新しく録画されていないにもかかわらず、過去の録画データを無駄に消去してしまい、当該連続番組の録画データがユーザーの意図した通りに残らないという不都合が生じている。
【０００７】
また、ユーザーが録画したい連続番組が終了して新しい番組に変わっていた場合も、それにかかわらず連続番組の過去の録画データを消去してしまうため、前述の場合と同様に、当該連続番組の録画データがユーザーの意図した通りに残らないという不都合が生じている。
【０００８】
また、連続番組の新たな録画に先立って過去の連続番組の録画データを消去するため、何らかのアクシデントによって新たな連続番組の録画が中断されてしまった場合に当該番組を録画したデータがユーザーの希望した回数分よりも１回分少ない録画データしか残っていないという不都合が生じる。
【０００９】
本発明は以上の点に鑑みなされたもので、連続番組の繰り返し予約録画を行う際に、ユーザーの意図に反した録画データの消去を防ぐことが可能な番組録画装置を提供することを目的とする。
【課題を解決するための手段】
【００１０】
上記の目的を達成するため、第１の発明は、定期的に複数回にわたって放送される連続番組の録画予約の設定を一度行うだけで、連続番組を記録実行手段により記録媒体に定期的に予約録画する番組録画装置において、
放送信号から電子番組表を取得する番組情報取得手段と、電子番組表に基づき、任意の予約番組の放送チャンネル、放送日時、番組タイトル、繰り返し録画の有無などの予約録画情報を設定する録画予約を行う予約録画設定手段と、予約録画情報を保存して管理する予約録画情報管理手段と、記録媒体に録画されている番組情報である録画済み番組データを管理する録画済み番組管理手段と、記録媒体の記録可能な空き領域を管理する空き領域管理手段と、予約録画情報管理手段により管理されている予約録画情報に含まれる第１の番組タイトルと、予約録画開始前に番組情報取得手段で取得された電子番組表に含まれる第２の番組タイトルとを比較する比較手段と、比較手段により第１の番組タイトルと第２の番組タイトルとが一致するとの比較結果が得られ、かつ、空き領域管理手段により第２の番組タイトルの新たな番組データを記録する空き領域が記録媒体に存在することが確認されたときに、記録媒体に第２の番組タイトルの新たな番組データを予約録画するよう記録実行手段を制御し、記録媒体への新たな番組データの予約録画が中断されることなく録画終了したときは、録画済み番組管理手段により管理されている第１の番組タイトルの録画済み番組を記録媒体から消去し、記録媒体への新たな番組データの予約録画が中断したときは、録画済み番組データを記録媒体から消去することなく新たな番組データの予約録画を中止するよう記録実行手段を制御する記録制御手段とを有することを特徴とする。
【００１１】
また、上記の目的を達成するため、第２の発明は、第１の発明における記録制御手段を、さらに、比較手段により第１の番組タイトルと第２の番組タイトルとが一致するとの比較結果が得られ、かつ、空き領域管理手段により第２の番組タイトルの新たな番組データを記録する空き領域が記録媒体に存在しないことが確認された場合、録画済み番組管理手段により管理されている録画済み番組データを記録媒体から消去してから、記録媒体に第２の番組タイトルの新たな番組データを予約録画するよう記録実行手段を制御する構成としたことを特徴とする。
【００１２】
ここで、上記の第１、第２の発明における上記記録制御手段を、さらに、比較手段により第１の番組タイトルと第２の番組タイトルとが一致しないとの比較結果が得られ、かつ、空き領域管理手段により第２の番組タイトルの新たな番組データを記録する空き領域が記録媒体に存在することが確認された場合、記録媒体に第２の番組タイトルの新たな番組データを予約録画するよう記録実行手段を制御し、かつ、記録媒体への新たな番組データの予約録画が中断することなく終了するか否かに関係なく、第１の番組タイトルの録画済み番組データを記録媒体から消去しないよう記録実行手段を制御する構成としてもよい。
【００１３】
また、第３の発明は、上記の記録制御手段を、比較手段により第１の番組タイトルと第２の番組タイトルとが一致しないとの比較結果が得られ、かつ、空き領域管理手段により第２の番組タイトルの新たな番組データを記録する空き領域が記録媒体に存在することが確認され、さらに、記録媒体への新たな番組データの予約録画が中断することなく録画終了した場合、録画済み番組管理手段により管理されている第２の番組タイトルの録画済み番組データを記録媒体から消去し、予約録画が中断したときは、第２の番組タイトルの録画済み番組データを記録媒体から消去しないよう記録実行手段を制御する構成とする。
【００１４】
ここで、上記の記録制御手段は、比較手段により第１の番組タイトルと第２の番組タイトルとが一致しないとの比較結果が得られ、かつ、空き領域管理手段により第２の番組タイトルの新たな番組データを記録する空き領域が記録媒体に存在しないことが確認された場合、記録媒体への第２の番組タイトルの新たな番組データの予約録画を中止するよう記録実行手段を制御する構成、又は比較手段により第１の番組タイトルと第２の番組タイトルとが一致しないとの比較結果が得られ、かつ、空き領域管理手段により第２の番組タイトルの新たな番組データを記録する空き領域が記録媒体に存在しないことが確認された場合、録画済み番組管理手段により管理されている第２の番組タイトルの録画済み番組データを記録媒体から消去してから、記録媒体に第２の番組タイトルの新たな番組データを予約録画するよう記録実行手段を制御する構成であってもよい。
【発明の効果】
【００１５】
本発明によれば、録画予約した予約録画情報に含まれる第１の番組タイトルと、予約録画開始前に取得された電子番組表に含まれる第２の番組タイトルとが一致するとの比較結果が得られたときだけ、記録媒体上の第１の番組タイトルの録画済み番組データを記録媒体から消去するようにし、第１の番組タイトルと第２の番組タイトルとが一致しないときは、記録媒体上の第１の番組タイトルの録画済み番組データの消去を行わないようにしたため、ユーザーの意図に反した録画データの消去を防ぐことができる。
【００１６】
また、本発明によれば、新たな番組データを記録する空き領域が記録媒体に存在するときで、予約録画が中断したときは、録画済み番組データを記録媒体から消去しないようにしたため、予約録画を中断した場合にも連続番組の録画データをユーザーの意図した通りに記録媒体に残しておくことができる。
【００１７】
更に、本発明によれば、第１の番組タイトルと第２の番組タイトルとが一致するときで、予約録画が中断されることなく録画終了したときは、記録媒体上の第1の番組タイトルの録画済み番組データを消去するようにしたため、記録媒体上に次の予約録画のための空き記録領域を確保することができる。
【００１８】
更にまた、本発明によれば、第１の番組タイトルと第２の番組タイトルとが一致しないときは、記録媒体上の第２の番組タイトルの録画済み番組データを消去するようにしたため、第２の番組タイトルの録画データが不必要に増えることによって、記録媒体上の空き領域が少なくなってしまうことを防ぐことができる。
【発明を実施するための最良の形態】
【００１９】
次に、本発明を実施するための最良の形態について図面を参照して詳細に説明する。
【実施例１】
【００２０】
図１は本発明になる番組録画装置の一実施例のブロック図、図２は図１の番組録画装置の実施例１の動作手順を説明するためのフローチャートを示す。なお、図１は番組録画機能と番組再生機能の両方を有する録画再生装置を示している。
【００２１】
まず、図１を用いて本実施例の構成と第１の動作例における各部の動作を説明する。チューナ１は、所望のデジタルテレビ放送波を選局受信する。番組情報取得手段２は、チューナ１で受信されたデジタルテレビ放送波に含まれている電子番組表情報を抽出することによって、番組のタイトル、放送日時、放送チャンネル等の番組情報を取得し、取得した番組情報を予約録画設定時には表示手段３及び予約録画設定手段４へ送り、予約録画開始時には番組情報比較手段６へと送る。
【００２２】
表示手段３は、番組情報取得手段２から送られた番組情報を画面上に表示することにより、ユーザーへ番組情報を通知する。予約録画設定手段４は、ユーザーの録画予約操作の入力内容に従って、任意の予約番組の放送チャンネル、録画開始日時、録画終了日時、番組タイトル、繰り返し録画の有無とその繰り返し周期などを含む予約録画情報を生成し、生成した予約録画情報を予約録画情報管理手段５へと転送する。
【００２３】
予約録画情報管理手段５は、予約録画設定手段４から転送された予約録画情報を保存すると共に、現在日時を監視して現在日時が予約録画情報の予約録画開始日時の少し前、例えば１分前となった時点で録画準備信号と予約録画情報を記録制御手段７に出力し、現在日時が予約録画開始日時になった時点で録画開始信号を記録制御手段７に出力する。また、予約録画情報管理手段５は、現在日時が録画終了日時になった時点で、録画終了信号を記録制御手段７に出力する。また、予約録画情報管理手段５は、予約録画終了時に、実行した予約録画が繰り返し予約録画ではなく、１回きりの予約録画であった場合には、その予約録画情報を削除する。
【００２４】
番組情報比較手段６は、記録制御手段７からの制御信号に従い、番組情報取得手段２から番組情報を取得すると共に、予約録画情報管理手段５から予約録画情報を取得し、取得したそれぞれの情報に含まれる番組タイトルが一致するかどうか比較し、その比較結果を記録制御手段７に送る。
【００２５】
記録制御手段７は、予約録画情報管理手段５から入力される録画準備信号、録画開始信号、録画終了信号に従って、記録実行手段８による番組データの録画を制御する。また、実行する予約録画が繰り返し録画によるものであった場合には、録画準備中に番組情報比較手段６による番組情報比較が行われるように制御する。番組情報を比較した結果、予約録画情報に含まれる番組タイトル１とこれから録画する番組タイトル２とが一致する場合には、記録媒体１４の空き領域の大きさと番組タイトル１の過去の録画データの有無やそのデータの再生状態、消去禁止設定状態等を勘案して、予約録画に必要な空き領域が確保できない場合には予約録画を中止し、空き領域が確保できる場合には必要に応じて番組タイトル１の過去の録画データを録画開始前、もしくは録画終了後に消去するよう記録実行手段８を制御する。一方、番組情報を比較した結果、予約録画情報に含まれる番組タイトル１とこれから録画する番組タイトル２とが一致しない場合には、記録媒体１４の空き領域の大きさを確認して、予約録画に必要な空き領域が存在しない場合には予約録画を中止する。
【００２６】
記録実行手段８は、記録制御手段７からの制御信号に従い、チューナ１から供給される番組データの記録媒体１４への記録や、番組タイトル１の過去の録画データの消去等を行う。録画済み番組管理手段９は、記録制御手段７の指示に従って、消去した番組情報の削除や新たに録画した番組情報の登録等を行い、また、必要に応じて再生制御手段１１に録画済み番組情報を供給する。空き領域管理手段１０は、記録媒体１４上の空き領域情報を管理し、記録制御手段７の指示により空き領域情報を更新し、また、必要に応じて空き領域情報を記録制御手段７に供給する。
【００２７】
以上は録画装置の構成であるが、本実施例はこれに加えて以下の再生機能も有する。再生制御手段１１は再生設定手段１３からの再生指示内容と録画済み番組管理手段９からの録画済み番組情報とに基づいて、再生すべき記録媒体１４上の領域を決定し、その領域を再生するように再生実行手段１２を制御する。
【００２８】
再生実行手段１２は、再生制御手段１１からの制御信号に従って、記録媒体１４上の所定領域に記録されている録画済み番組の番組データを再生して外部へ出力する。再生設定手段１３は、ユーザーから入力された再生指示内容を再生制御手段１１へ転送する。
【００２９】
次に、図２のフローチャートを参照して図１の実施例１における予約録画動作について説明する。
【００３０】
まず、本装置は、一つ以上の予約録画情報が設定され、かつ、予約録画動作が有効に設定されている場合に、予約録画処理を開始し、予約録画情報管理手段５は、まず現在日時が予約録画開始日時の所定時間前、例えば１分前に達したかどうかを監視する（ステップＳ２０１）。
【００３１】
予約録画情報管理手段５は、現在日時が予約録画開始日時の１分前になると、次に予約録画が連続番組の繰り返し予約録画によるものかどうかを確認する（ステップＳ２０２）。ここで、連続番組の繰り返し予約録画であった場合は番組情報取得手段２が電子番組情報を取得し（ステップＳ２０３）、連続番組の繰り返し予約録画ではなかった場合は、記録制御手段７が空き領域管理手段１０からの空き領域情報に基づいて、予約録画を実行するために必要な空き領域が記録媒体１４にあるかどうかを確認する（ステップＳ２１４）。
【００３２】
ステップＳ２１４の確認の結果、予約録画を実行するために必要な空き領域が記録媒体１４に無かった場合には、予約録画を実行することができないので、予約録画を中止し（ステップＳ２１６）、必要な空き領域が記録媒体１４に有る場合は、記録実行手段８が予約録画を実行した後（ステップＳ２１５）、予約録画処理を終了する（ステップＳ２１７）。
【００３３】
一方、連続番組の繰り返し予約録画でありステップＳ２０３で電子番組情報を取得した場合は、予約録画情報に含まれる番組タイトル１と取得した電子番組情報に含まれる番組タイトル２とが一致するかどうかを番組情報比較手段６で比較し、その比較結果を記録制御手段７で判定する（ステップＳ２０４）。ここで、番組タイトルが一致していた場合には、記録制御手段７が記録媒体１４上に予約録画を実行するために必要な空き領域があるかどうか確認し（ステップＳ２０５）、空き領域があれば予約録画を実行する（ステップＳ２０９）。
【００３４】
他方、ステップＳ２０４で番組タイトルが一致していないと判定した場合には、記録制御手段７が前述の予約録画が連続番組の繰り返し予約録画によるものでなかった場合と同様に、記録媒体１４上の空き領域の確認判定処理（ステップＳ２１４）以降の処理を行う。すなわち、連続番組の繰り返し予約録画ではあるが、放送局等の都合により実際に放送される番組が予約録画時の番組と異なるものに変更されている場合や、ユーザーが録画したい連続番組が既に終了していて新しい番組に変わっていた場合、記録媒体１４に空き領域があれば、実際に放送される番組タイトル２の番組データを録画するが、記録媒体１４上の番組タイトル１の過去の録画データの消去は行わずに、予約録画処理を終了する（ステップＳ２１７）。なお、記録媒体１４に空き領域がなければ、予約録画処理を中止する（ステップＳ２１６）。
【００３５】
一方、ステップＳ２０４で番組タイトルが一致していると判定し、更にステップＳ２０５で記録制御手段７が記録媒体１４上に予約録画を実行するために必要な空き領域がないと判定した場合は、記録媒体１４上に番組タイトル１の過去の録画データが存在するかどうかを確認する（ステップＳ２０６）。確認の結果、記録媒体１４上に番組タイトル１の過去の録画データが存在しないときは、記録媒体１４上に予約録画を実行するために必要な空き領域を確保することが出来ないので、予約録画を中止する（ステップＳ２１６）。
【００３６】
他方、記録制御手段７はステップＳ２０６で記録媒体１４上に番組タイトル１の過去の録画データが存在するとの確認結果が得られたときは、次にその記録媒体１４上の番組タイトル１の過去の録画データが再生中か、又は消去禁止に設定されているかどうかを判定する（ステップＳ２０７）。記録媒体１４上の番組タイトル１の過去の録画データが再生中か、又は消去禁止に設定されているときは、その録画データを消去することができず、記録媒体１４上に予約録画に必要な空き領域を確保することができないので、予約録画処理を中止する（ステップＳ２１６）。
【００３７】
ステップＳ２０７で記録媒体１４上の番組タイトル１の過去の録画データが再生中でなく、また消去禁止に設定されていないと判定した場合には、予約録画に必要な空き領域を確保するために、記録媒体１４上の番組タイトル１の過去の録画データを消去した後（ステップＳ２０８）、予約録画を実行する（ステップＳ２０９）。
【００３８】
予約録画実行中は、録画が中断されたかどうかを監視し（ステップＳ２１０）、何らかの理由により録画が中断された場合には、予約録画処理を中止する（ステップＳ２１６）。録画が中断されることなく、記録実行手段８による予約録画が記録媒体１４に対して正常に実行された場合には、記録制御手段７において、次に番組タイトル１の過去の録画データがその記録媒体１４で既に消去されているかどうかを確認する（ステップＳ２１１）。ここで、既に過去の録画データが消去されている場合（初めから過去の録画データが存在しない場合も含む）には予約録画処理を終了する（ステップＳ２１７）。
【００３９】
記録制御手段７において、予約録画を実行した記録媒体１４に番組タイトル１の過去の録画データがまだ存在し、消去されていないと判断された場合（ステップＳ２１１）には、その番組タイトル１の過去の録画データが現在再生中かどうか、又は消去禁止に設定されているかどうかを判断し（ステップＳ２１２）、過去の録画データが現在再生中か、又は消去禁止に設定されている場合には、その過去の録画データを消去することができないので、そのまま予約録画処理を終了する（ステップＳ２１７）。ステップＳ２１２で番組タイトル１の過去の録画データが現在再生中でもなく消去禁止にも設定されていない場合には、その録画データを消去することができるので、記録媒体１４上の空き領域を増やしておくために、その録画データを消去した後（ステップＳ２１３）、予約録画処理を終了する（ステップＳ２１７）。
【００４０】
以上説明したように、本実施例によれば、連続番組の繰り返し予約録画において、新しく録画した番組が放送局の都合等によりユーザーが録画したい連続番組とは異なる放送番組である場合（図２のステップＳ２０４のＮＯ）や、何らかの理由により新しい番組の録画が中断された場合（図２のステップＳ２１０のＹＥＳ）には、記録媒体１４に記録されている過去の連続番組の録画データを消去しないようにすることができるため、ユーザーの意図に反した録画データの消去を防ぐことができる。ただし、連続番組の繰り返し予約録画時において、記録媒体１４に必要な空き領域が存在しない時には、その予約録画処理開始前に過去の番組の過去の録画データを消去してから予約録画を行うので、その予約録画時に中断があったときには、過去の録画データは消去されたままとなる。
【００４１】
また、本実施例では、連続番組の繰り返し予約録画において、予約録画が中断されることなく正常に録画終了したときに、記録媒体１４上の録画済み番組データを記録媒体から消去するようにした（図２のステップＳ２１３）ため、記録媒体１４上の次の予約録画のための空き記録領域を確保することができる。
【実施例２】
【００４２】
次に、実施例２における予約録画動作について説明する。ここで、実施例２も、図１に示す実施例１とほぼ同様の構成の番組録画装置により予約録画を行うので、図１に示す構成図を参照して説明するが、実施例１と図１の記録制御手段７、及び記録実行手段８の動作が異なるので、これらの動作について、まず説明する。
【００４３】
つまり、実施例２の記録制御手段７は、前述の実施例１の場合と同様に、予約録画情報管理手段５から入力される録画準備信号、録画開始信号、録画終了信号に従って、記録実行手段８による番組データの録画を制御する。また、実行する予約録画が繰り返し録画によるものであった場合には、録画準備中に番組情報比較手段６による番組情報比較が行われるように制御する。番組情報を比較した結果、予約録画情報に含まれる番組タイトル１とこれから録画する番組タイトル２とが一致する場合には、記録媒体１４の空き領域の大きさと番組タイトル１の過去の録画データの有無やそのデータの再生状態、消去禁止設定状態等を勘案して、予約録画に必要な空き領域が確保できない場合には予約録画を中止し、空き領域が確保できる場合には必要に応じて番組タイトル１の過去の録画データを録画開始前、もしくは録画終了後に消去するよう記録実行手段８を制御する。
【００４４】
一方、実施例２の記録制御手段７は、前述の実施例１の場合と異なり、番組情報を比較した結果、予約録画情報に含まれる番組タイトル１とこれから録画する番組タイトル２とが一致しない場合には、記録媒体１４の空き領域の大きさと番組タイトル２の過去の録画データの有無やそのデータの再生状態、消去禁止設定状態等を勘案して、予約録画に必要な空き領域が確保できない場合には予約録画を中止し、空き領域が確保できる場合には必要に応じて番組タイトル２の過去の録画データを録画開始前、もしくは録画終了後に消去するよう記録実行手段８を制御する。
【００４５】
実施例２の記録実行手段８は、記録制御手段７からの制御信号に従い、チューナ１から供給される番組データの記録媒体１４への記録や、番組タイトル１の過去の録画データや番組タイトル２の過去の録画データの消去等を行う。
【００４６】
次に、図３のフローチャートを参照して実施例２の予約録画動作について説明する。
【００４７】
まず、本装置は、一つ以上の予約録画情報が設定され、かつ、予約録画動作が有効に設定されている場合に、予約録画処理を開始し、予約録画情報管理手段５は、まず現在日時が予約録画開始日時の所定時間前、例えば１分前に達したかどうかを監視する（ステップＳ３０１）。
【００４８】
予約録画情報管理手段５は、現在日時が予約録画開始日時の１分前になると、次に予約録画が連続番組の繰り返し予約録画によるものかどうかを確認する（ステップＳ３０２）。ここで、連続番組の繰り返し予約録画であった場合は番組情報取得手段２が電子番組情報を取得し（ステップＳ３０３）、連続番組の繰り返し予約録画でなかった場合は、記録制御手段７が空き領域管理手段１０からの空き領域情報に基づいて、予約録画を実行するために必要な空き領域が記録媒体１４にあるかどうかを確認する（ステップＳ３２３）。
【００４９】
ステップＳ３２３の確認の結果、予約録画を実行するために必要な空き領域が記録媒体１４に無かった場合には、予約録画を実行することができないので、予約録画処理を中止し（ステップＳ３２５）、必要な空き領域が記録媒体１４に有る場合は、記録実行手段８が予約録画を実行した後（ステップＳ３２４）、予約録画処理を終了する（ステップＳ３２６）。
【００５０】
一方、連続番組の繰り返し予約録画であり、ステップＳ３０３で電子番組情報を取得した場合は、予約録画情報に含まれる番組タイトル１と取得した電子番組情報に含まれる番組タイトル２とが一致するかどうかを番組情報比較手段６で比較し、その比較結果を記録制御手段７で判定する（ステップＳ３０４）。ここで、番組タイトルが一致していた場合には、記録制御手段７が記録媒体１４上に予約録画を実行するために必要な空き領域があるかどうか確認し（ステップＳ３０５）、必要な空き領域があると判定した場合には予約録画を実行し（ステップＳ３０９）、必要な空き領域がないと判定した場合は、記録媒体１４上に番組タイトル１の過去の録画データが存在するかどうかを確認する（ステップＳ３０６）。
【００５１】
ステップＳ３０６の確認の結果、記録媒体１４上に番組タイトル１の過去の録画データが存在しないときは、記録媒体１４上に予約録画を実行するために必要な空き領域を確保することが出来ないので、予約録画処理を中止する（ステップＳ３２５）。記録媒体１４上に番組タイトル１の過去の録画データが存在するときは、次にその記録媒体１４上の番組タイトル１の過去の録画データが再生中か、又は消去禁止に設定されているがどうかを判定する（ステップＳ３０７）。記録媒体１４上の番組タイトル１の過去の録画データが再生中か、又は消去禁止に設定されているときは、その録画データを消去することができず、記録媒体１４上に予約録画に必要な空き領域を確保することができないので、予約録画処理を中止する（ステップＳ３２５）。
【００５２】
ステップＳ３０７で記録媒体１４上の番組タイトル１の録画データが再生中でなく、また消去禁止にも設定されていないと判定された場合には、予約録画に必要な空き領域を確保するために、記録媒体１４上の番組タイトル１の過去の録画データを消去した後（ステップＳ３０８）、予約録画を実行する（ステップＳ３０９）。
【００５３】
予約録画を実行中は、録画が中断されたかどうかを監視し（ステップＳ３１０）、何らかの理由により録画が中断された場合には、予約録画処理を中止にする（ステップＳ３２５）。録画が中断されることなく、記録実行手段８による予約録画が記録媒体１４に対して正常に実行された場合には、次に番組タイトル１の過去の録画データがその記録媒体１４で既に消去されているかどうかを確認する（ステップＳ３１１）。ここで、既に過去の録画データが消去されている場合（初めから過去の録画データが存在しない場合も含む）には予約録画処理を終了する（ステップＳ３２６）。
【００５４】
記録制御手段７において、予約録画を実行した記録媒体１４に番組タイトル１の過去の録画データがまだ存在し、消去されていないと判断された場合（ステップＳ３１１）には、その番組タイトル１の過去の録画データが現在再生中かどうか、又は消去禁止に設定されているかどうかを判断し（ステップＳ３１２）、過去の録画データが現在再生中か、又は消去禁止に設定されている場合には、その過去の録画データを消去することができないので、そのまま予約録画処理を終了する（ステップＳ３２６）。ステップＳ３１２で番組タイトル１の過去の録画データが現在再生中でもなく、消去禁止にも設定されていない場合には、その録画データを消去することができるので、記録媒体１４上の空き領域を増やしておくために、その録画データを消去した後（ステップＳ３１３）、予約録画処理を終了する（ステップＳ３２６）。
【００５５】
他方、ステップＳ３０４で番組タイトルが一致していなかった場合には、記録制御手段７が記録媒体１４上に予約録画を実行するために必要な空き領域があるかどうか確認し（ステップＳ３１４）、必要な空き領域があると判定した場合には予約録画を実行する（ステップＳ３１８）。
【００５６】
以上の動作は実施例１と同様であるが、実施例２では、番組タイトルが予約時の番組タイトルと不一致の場合に、記録制御手段７がステップＳ３１４で予約録画に必要な空き領域がないと判定した場合は、予約録画を直ちに中止するのではなく、記録媒体１４上に番組タイトル２の過去の録画データが存在するかどうかを確認する（ステップＳ３１５）。
【００５７】
ステップＳ３１５の確認の結果、記録媒体１４上に番組タイトル２の過去の録画データが存在しないときは、記録媒体１４上に予約録画を実行するために必要な空き領域を確保することが出来ないので、予約録画処理を中止する（ステップＳ３２５）。記録媒体１４上に番組タイトル２の過去の録画データが存在するときは、次に、その記録媒体１４上の番組タイトル２の過去の録画データが再生中か、又は消去禁止に設定されているかどうかを判定する（ステップＳ３１６）。記録媒体１４上の番組タイトル２の過去の録画データが再生中か、又は消去禁止に設定されているときは、その録画データを消去することができず、記録媒体１４上に予約録画に必要な空き領域を確保することができないので、予約録画処理を中止する（ステップＳ３２５）。
【００５８】
ステップＳ３１６で記録媒体１４上の番組タイトル２の録画データが再生中でなく、また消去禁止にも設定されていないと判定された場合には、予約録画に必要な空き領域を確保するために、記録媒体１４上の番組タイトル２の過去の録画データを消去した後（ステップＳ３１７）、予約時の番組タイトル１とは異なる番組タイトル２の予約録画を実行する（ステップＳ３１８）。
【００５９】
予約録画実行中は、録画が中断されたかどうかを監視し（ステップＳ３１９）、何らかの理由により録画が中断された場合には、予約録画処理を中止する（ステップＳ３２５）。録画が中断されることなく、記録実行手段８による予約録画が記録媒体１４に対して正常に実行された場合には、次に番組タイトル２の過去の録画データがその記録媒体１４で既に消去されているかどうかを確認する（ステップＳ３２０）。ここで、既に過去の録画データが消去されている場合（初めから過去の録画データが存在しない場合も含む）には予約録画処理を終了する（ステップＳ３２６）。
【００６０】
記録制御手段７において、予約録画を実行した記録媒体１４に番組タイトル２の過去の録画データが存在し、消去されていないと判断された場合（ステップＳ３２０）には、その番組タイトル２の過去の録画データが現在再生中かどうか、又は消去禁止に設定されているかどうかを判断し（ステップＳ３２１）、過去の録画データが現在再生中か、又は消去禁止に設定されている場合には、その過去の録画データを消去することができないので、そのまま予約録画処理を終了する（ステップＳ３２６）。
【００６１】
他方、ステップＳ３２１で番組タイトル２の過去の録画データが現在再生中でもなく、消去禁止に設定されていない場合には、その録画データを消去することができるので、記録媒体１４上の空き領域を増やしておくために、その録画データを消去した後（ステップＳ３２２）、予約録画処理を終了する（ステップＳ３２６）。
【００６２】
以上説明したように、実施例２によれば、実施例１と同様に連続番組の繰り返し予約録画において、新しく録画した番組が放送局の都合等によりユーザーが録画したい連続番組とは異なる放送番組である場合、又はユーザーが録画したい連続番組が既に終了して新しい番組に変わっていた場合（図３のステップＳ３０４のＮＯ）や、何らかの理由により新しい番組の録画が中断された場合（図３のステップＳ３１０のＹＥＳ）には、記録媒体１４に記録されている過去の連続番組の録画データを消去しないようにすることができるため、ユーザーの意図に反した録画データの消去を防ぐことができる。ただし、連続番組の繰り返し予約録画時において、記録媒体１４に必要な空き領域が存在しない時には、その予約録画処理開始前に過去の番組の過去の録画データを消去してから予約録画を行うので、その予約録画時に中断があったときには、過去の録画データは消去されたままとなる。
【００６３】
また、実施例２では、実施例１と同様に連続番組の繰り返し予約録画において、予約録画が中断されることなく正常に録画終了したときに、記録媒体１４上の録画済み番組データを記録媒体から消去するようにした（図３のステップＳ３１３）ため、記録媒体１４上の次の予約録画のための空き記録領域を確保することができる。
【００６４】
以上は実施例１と同様の特徴であるが、実施例２では更に、ユーザーが録画したい番組タイトル１の連続番組とは異なる番組タイトル２の番組が放送されていた場合には、記録媒体上に番組タイトル２の録画済み番組データが存在するかどうか確認し、もし、存在する場合はその録画済み番組データを消去するようにした（図３のステップＳ３２２）ため、ユーザーが録画したい番組タイトル１の連続番組が既に終了していて、新しい番組タイトル２の録画が繰り返して発生してしまうような場合（例えば、ユーザーが連続番組が終了していることに気付くのが遅くなった場合や、連続番組の終了に気付いていても予約録画情報の設定を変更しなかった場合など）、番組タイトル２の録画済みデータが不必要に増えて、記録媒体上の空き領域が少なくなってしまうことを防ぐことができるという、実施例２特有の特徴が得られる。
【００６５】
なお、以上の実施例においては、説明の便宜上、連続番組の繰り返し予約録画における更新周期を１回の放送毎とし、録画済み番組管理手段９により管理されている番組タイトル１の過去の録画済み番組データ、及び番組タイトル２の過去の録画済み番組データをそれぞれ前回放送分の番組データ１つだけとして扱っているが、繰り返し予約録画における更新周期が複数回の放送毎に設定されている場合、記録制御手段７は、録画済み番組管理手段９により管理されている番組タイトル１の過去複数回分の録画済み番組データ、及び番組タイトル２の過去複数回分の録画済み番組データのうち、それぞれ最も古い番組データを消去するように制御を行う。
【００６６】
また、上記実施例においては、予約録画開始前に取得した番組タイトルと予約録画設定時に指定した番組タイトルとが異なっていても、予約録画に必要な空き領域がある場合は録画自体は行うようにしている（図２のステップＳ２１５、図３のステップＳ３１８）が、これは番組タイトルが異なっていても録画予約された番組に関係する番組が放送されている可能性（例えば、通常版放送とは番組タイトルが異なるスペシャル版の放送など）や、ユーザーが意図的に予約録画情報を変えずに同チャンネル、同時間帯に始まった新しい連続番組を録画しようとしている場合などを考慮した処理である。しかし、当然ながら、同じ構成の装置で録画自体を行わないようにすることも可能である。
【００６７】
また、以上の実施例においては、予約録画開始前に十分な空き容量がある場合には、予約録画終了後に番組の過去の録画データを消去するようにしている（図２のステップＳ２１３、図３のステップＳ３１３）が、十分な空き容量がある場合には消去しないようにする、あるいは消去するかしないかをユーザーが選択できるようにするなどの方法を採用することも可能である。
【００６８】
なお、本発明は上記の実施例に限定されるものではなく、例えば、図１の各手段２〜１３の各機能をコンピュータにより実行させるコンピュータプログラムも本発明に包含される。この場合、コンピュータプログラムは、ネットワークを介して配信されてコンピュータに取り込まれてもよいし、記録媒体に記録されていて記録媒体からコンピュータに取り込まれてもよいし、ファームウェアとして装置内に組み込まれていてもよい。
【図面の簡単な説明】
【００６９】
【図１】本発明の一実施例のシステム図である。
【図２】図１の本発明装置の実施例１の動作手順を説明するためのフローチャートである。
【図３】図１の本発明装置の実施例２の動作手順を説明するためのフローチャートである。
【符号の説明】
【００７０】
１  チューナ
２  番組情報取得手段
３  表示手段
４  予約録画設定手段
５  予約録画情報管理手段
６  番組情報比較手段
７  記録制御手段
８  記録実行手段
９  録画済み番組管理手段
１０  空き領域管理手段
１１  再生制御手段
１２  再生実行手段
１３  再生設定手段
１４  記録媒体
【図１】
2008245239.tif 000003
【図２】
2008245239.tif 000004
【図３】
2008245239.tif 000005